(57)【要約】連続的であり得る、パーソナルケア製品組成物の製造方法が提供される。この方法は、組成物の、全てではないとしても、ほとんどの水溶性成分を含む濃厚液である第１の水相を、ブレンド管に供給することを含む。油性または水性であり得る第２の相、および、本質的には純粋な水である第３の相もまた、前記ブレンド管に供給される。前記相は全て、前記の管を通して、１０から５，０００ｐｓｉの圧力で、５から５，０００ポンド／分の流量で移送される。好ましくは、前記の管はＳｏｎｏｌａｔｏｒなどのホモジナイザに通じる。
2006509623.tif 000002
【特許請求の範囲】
【請求項１】
（ｉ）５０から３０，０００ｃｐｓの粘度をもつ第１の水相をブレンド管に供給すること；
（ｉｉ）第２の相を前記ブレンド管に供給すること；
（ｉｉｉ）３０ｃｐｓ未満の粘度をもち、組成物の少なくとも１５％である第３の相を前記ブレンド管に供給すること；
（ｉｖ）３つの全ての前記相を合わせて混合すること；
を含み、前記相のそれぞれが、１０から５，０００ｐｓｉの圧力で、また、１分間あたり２．２７４から２，２７０ｋｇ（５から５，０００ポンド）の流量で、液体の流れとして、前記ブレンド管にポンプで送られ；
さらに
（ｖ）得られた混合物をパーソナルケア組成物として回収すること；
を含む、パーソナルケア組成物の製造方法。
【請求項２】
前記第１相が、前記第１相の５重量％を超える、水以外の成分を含む請求項１に記載の方法。
【請求項３】
前記第１相が、前記第１相の４０重量％を超える、水以外の成分を含む請求項１または請求項２に記載の方法。
【請求項４】
前記第１相および前記第３相が、１：１から１：４０の相対重量比で前記ブレンド管に供給される請求項１から３のいずれか一項に記載の方法。
【請求項５】
前記第１相および前記第３相が、１：１から１：１０の相対重量比で前記ブレンド管に供給される請求項１から４のいずれか一項に記載の方法。
【請求項６】
前記第３相が、前記第３相の１０重量％以下の、水以外の成分を含む請求項１から５のいずれか一項に記載の方法。
【請求項７】
前記第３相が、前記第３相の２重量％以下の、水以外の成分を含む請求項１から６のいずれか一項に記載の方法。
【請求項８】
前記ブレンド管が、０．００１６３８７から１６３８．７ｃｍ３（０．０００１から１００立方インチ）の範囲の容積をもつ請求項１から７のいずれか一項に記載の方法。
【請求項９】
前記ブレンド管が、０．１６３８７から８１．９４ｃｍ３（０．０１から５立方インチ）の範囲の容積をもつ請求項１から８のいずれかに記載の方法。
【請求項１０】
前記の相の混合が音波攪拌による請求項１から９のいずれか一項に記載の方法。
【請求項１１】
前記の管に流入する前記第１相が、前記の管に流入する前記第２相の温度より、少なくとも５℃低い温度である請求項１から１０のいずれか一項に記載の方法。
【請求項１２】
第１、第２および第３相が、１００から１，０００ｐｓｉの範囲の圧力で、前記の管にポンプで送られる請求項１から１１のいずれか一項に記載の方法。
【発明の詳細な説明】
【技術分野】
【０００１】
本発明は、必要な装置をできるだけ減らし、製造能力を増し、また、製造時間を短縮する、液体パーソナルケア製品の製造方法に関する。
【背景技術】
【０００２】
最も広く使用されている液体タイプのパーソナルケア製品には、シャンプー、シャワージェルおよびスキンローションがある。通常、これらの製品のそれぞれは、様々な香料と促進成分を含み、多様な色のものとして販売されている。それらの製造のための、より効率的な方法が常に求められている。
【発明の開示】
【発明が解決しようとする課題】
【０００３】
特に求められているのは、装置をできるだけ減らし、製造能力を増し、また配合時間を短縮できるシステムである。
【課題を解決するための手段】
【０００４】
第１の態様において、本発明は、
（ｉ）約５０から約３０，０００ｃｐｓの粘度をもつ第１の水相をブレンド管（ｂｌｅｎｄｉｎｇ  ｔｕｂｅ）に供給すること；
（ｉｉ）第２の相を前記ブレンド管に供給すること；
（ｉｉｉ）３０ｃｐｓ未満の粘度をもち、組成物の少なくとも約１５％である第３の相を前記ブレンド管に供給すること；
（ｉｖ）３つの全ての前記相を合わせて混合すること；
を含み、前記相のそれぞれが、約１０から約５，０００ｐｓｉの圧力で、また、１分間あたり約２．２７から２，２７０ｋｇ（５から約５，０００ポンド）の流量で、液体の流れとして、前記ブレンド管にポンプで送られ；
さらに
（ｖ）得られた混合物をパーソナルケア組成物として回収すること；
を含む、パーソナルケア組成物の製造方法を提供する。
【発明を実施するための最良の形態】
【０００５】
本発明の利点と特徴は図を参考にすることにより、より容易に明らかになるであろう。
【０００６】
今や、パーソナルケア組成物の製造について、かなり優れた製造効率を達成できることが見出された。この前進は、最終のパーソナルケア組成物において見出される水溶性成分のほとんどを組み入れる濃厚な第１の水相に基づいている。ここで、濃厚液は、第２の相とブレンドされる。最終のパーソナルケア組成物が、スキンクリームなどのエマルジョンである場合、第２相は油相であろう。油相を含まないシャンプーのような他の製品は、１種または複数の界面活性剤と共に配合された水性の第２相を用いて製造されるであろう。第３の相は追加の水を供給する。通常、第３相は、純粋な水であろうが、時には、それは少量のさらなる成分を伴い得る。
【０００７】
３つの全ての相が管の中でブレンドされる。本発明では、「ブレンド管」という用語には、３つの全ての相が混合のために一緒になる、任意のチャンバ、容器および配管が含まれ得る。通常、ブレンド管の容積は比較的小さいであろう。その容積は、約０．００１６３８７から１６３８．７ｃｍ３（０．０００１から約１００立方インチ）、好ましくは、約０．０１６３８７から３２７．７４ｃｍ３（０．００１から約２０立方インチ）、より好ましくは、約０．１６３８７から８１．９４ｃｍ３（０．０１から約５立方インチ）、最適には、約１．６３８７から１６．３８７ｃｍ３（０．１から約１立方インチ）の範囲であり得る。
【０００８】
水の多くは第１の濃厚水相から排除されているとしても、それでもやはり、ほとんどの水溶性成分を溶液に入れるか、懸濁させることができる。こうする利点は、濃厚液を用いない従来の方法よりかなり小型化され得る、保持／ブレンド用タンクに見出される。必要な混合装置はより小型であり、必要なタンクスペースはより小さい。追加の水（第３）相としての（ｔｏｐ−ｏｆｆ）水は、混合の時点で濃厚液を所定濃度にする。第３（水）相の調製に通常必要であった、保持タンクまたはミキサは必要でない。井戸または水道管などの水源から直接、この相を、ブレンド管にポンプで送ることができる。
【０００９】
第１の濃厚水相の粘度は、第３（水）相のそれよりずっと大きいであろう。より詳細には、第１水相は、ブルックフィールドＲＶＴ粘度計（スピンドルＮｏ．ＲＶ６、２０ｒｐｍ、１分、２５℃）で測定して、約５０から約３０，０００ｃｐｓ、好ましくは、約１５０から約２０，０００ｃｐｓ、最適には、約３００から約５，０００ｃｐｓの範囲の粘度をもつであろう。
【００１０】
第３（水）相は、通常、他の添加剤を事実上全く含まないであろう。この相の粘度は、ブルックフィールドＲＶＴ粘度計（スピンドルＮｏ．ＲＶ６、２０ｒｐｍ、１分、２５℃）で測定して、通常、５ｃｐｓ未満、好ましくは、約１から４ｃｐｓである。
【００１１】
図１は、本発明による方法の概略的流れ図である。濃厚な第１水相２がタンク４内で配合される。所望の組成を実現するために、濃厚液を薄めるには、重量で２から５０倍の間の何れかの量の純粋な水を必要とするであろう。第１相はポンプ６により配管を通してブレンド管８に送られる。
【００１２】
第２相１０は、タンク１２内に保持される。目的とする組成物がスキンケア製品である場合にはしばしば、配合は水および油の相を必要とするエマルジョンであろう。この場合には、第２相は油相であろう。シャンプーおよびシャワージェルなどの製品では、油相を必要としないことが多い。これらのタイプの製品では、第２相は水性で、１種または複数の界面活性剤を通常伴うであろう。シャンプーおよびシャワージェルにおける界面活性剤のレベルは、通常、１０％を優に超える。したがって、これらのタイプの製品は、第２相の約１５重量％から約９０重量％、好ましくは、約２５重量％から約７５重量％の範囲のレベルで総界面活性剤を含み得る水性第２相を用いるであろう。
【００１３】
ポンプ１４により第２相はブレンド管に送られる。典型的なポンプはＴｒｉｐｌｅｘ  Ｃａｔまたはプログレッシブ（ｐｒｏｇｒｅｓｓｉｖｅ）キャビティポンプ（例えば、Ｍｏｙｎｏ／Ｓｅｅｐｅｘ）であり得る。
【００１４】
通常水だけからなるが、時には少数の添加剤を含み得る第３の相１６もまたブレンド管に供給される。移送はポンプ１８により円滑に行われる。ポンプは、Ｍｏｙｎｏ／Ｓｅｅｐｅｘのプログレッシブキャビティポンプ、Ｗａｕｋｅｓｈａまたは容積移送式ポンプであり得る。
【００１５】
ブレンド管８を出て次に、相２、１０および１６の組合せは、全ての相を合わせて高圧、高剪断下で十分に混合するホモジナイザとして働く、Ｓｏｎｏｌａｔｏｒ（登録商標）２０に入る。次に、得られた流体は背圧バルブ２２を通して送られる。三方バルブ２４の下流で、ほとんどの生成物は、貯蔵タンクに、あるいは直接パッケージ充填機２６に導かれる。通常、少量の生成物が、ポンプ３０による第１相の流れへのリサイクルのために、三方バルブを通して再処理タンク２８に向けられる。再処理量は、ブレンド管を経由してＳｏｎｏｌａｔｏｒを出た総生成物の、０から５０％、好ましくは１から２０％の範囲、最適には約５％であり得る。
【００１６】
通常、本発明の方法は、第１の反応器における第１水相の形成を含み、そこで、成分が混合され、約１０から約７０℃、好ましくは、約１８から約５８℃、最適には、約２４から約５２℃の温度に保たれる。全てではないがほとんどの場合において、第１水相は、第２水相（特にこれが油である場合）より、互いにブレンドされる時点で、少なくとも約５℃、好ましくは少なくとも約１１℃、低い温度であることが好ましいであろう。
【００１７】
第２相は、反応器において、約１０から約１５０℃、好ましくは、約４０から約１６５℃、最適には約６６から約９５℃の範囲の温度で成分を混合することにより得られるであろう。
【００１８】
第３相は、約０から約５７℃、好ましくは、約５から約４５℃、最適には約１５から約３８℃の温度に保たれ得る。
【００１９】
第２相の粘度は、ブルックフィールドＲＶＴ粘度計（スピンドルＮｏ．ＲＶ６、２０ｒｐｍ、１分、２５℃）で測定して、約５０から約２００，０００ｃｐｓ、好ましくは、約１，０００から約１００，０００ｃｐｓ、最適には、約５，０００から約５０，０００ｃｐｓの範囲にあり得る。
【００２０】
最終のパーソナルケア製品の粘度は、ブルックフィールドＲＶＴ粘度計（スピンドルＮｏ．ＲＶ６、２０ｒｐｍ、１分、２５℃）を用いて、通常、約１，０００と約３０，０００ｃｐｓの間、好ましくは、約５，０００と約３０，０００ｃｐｓの間、最適には、１０，０００と２５，０００ｃｐｓの間の範囲であり得る。
【００２１】
第１および第２相の入ったタンクからブレンド管８への流体の移送は、１組の電子制御サーボ駆動回転ポンプにより実施され得る。流れの綿密な制御は、Ｅ＆Ｈ質量流量計でモニタされたＯｄｅｎ  Ｃｏｒｐｏｒａｔｉｏｎが市販するブレンド用バルブを使用することにより実現される。この装備はスタティック混合エレメントと背圧バルブを含み得る。
【００２２】
ブレンド管８への第１水相と第２相の流量は、１分あたり、約２．２７から２，２７０ｋｇ（５から約５，０００ポンド）の範囲であり得る。好ましくは、流量は、１分あたり、２２．７から４５４ｋｇ（５０から約１，０００ポンド）、最適には、１分あたり、約６８．１０から３６３．２０ｋｇ（１５０から約８００ポンド）の範囲であり得る。
【００２３】
ブレンド管８の形状寸法は、ブレンドされた第１、第２および第３相の滞留時間が、約０．０００１秒から約５分、好ましくは、約０．００１から約１２０秒、最適には、約０．０１から約１０秒の範囲であり得るようなものであるべきである。
【００２４】
第２相が油である系では、ブレンド管８におけるエマルジョンの温度は、通常、第２（油）相がその反応器タンクを出る時のその相の温度より低くあるべきである。ブレンド管８内のエマルジョンの典型的な温度は、約１０から約８２℃、好ましくは、約２７から約６５℃、最適には、約３５から約５５℃の範囲であり得る。
【００２５】
好ましい実施形態において、油と２つの水（第１および第３）相は、約１０から約５，０００ｐｓｉ、好ましくは、約１００から約１０００ｐｓｉ、最適には、約１５０から約２５０ｐｓｉの範囲であり得る、比較的高圧でポンプ輸送される。
【００２６】
本発明の一実施形態において、油相および第１水相は、それぞれの反応器から、Ｗａｕｋｅｓｈａ  ＰＤギアポンプなどの容積式供給ポンプを通じて移送される。その後、別々の相のそれぞれは、Ｇｉａｎｔ  Ｃｏｒｐｏｒａｔｉｏｎ（オハイオ州トレド）またはＣａｔ  Ｃｏｒｐｏｒａｔｉｏｎが市販する三連（ｔｒｉｐｌｅｘ）プランジャー型などの高圧ポンプにより送り出される。そこから、別々の水相と油の相のそれぞれは、ブレンド管８（好ましい実施形態においては、Ｇｅｎｅｒａｌ  ＳｉｇｎａｌのユニットであるＳｏｎｉｃ  Ｃｏｒｐｏｒａｔｉｏｎが市販するＳｏｎｏｌａｔｏｒ（登録商標）である）に供給される。
【００２７】
Ｓｏｎｏｌａｔｏｒ（登録商標）は、高速の液体の流れの運動エネルギーを大きな強さの混合作用に変換することができるインライン装置である。変換は、オリフィスを通して液体を、液体のジェット流として直接ブレード状障害物に向けてポンプで送り出すことにより実施される。液体は、それ自体、安定な渦巻きパターンで振動し、それによりブレード状障害物が共振し、結果的に高レベルのキャビテーション、乱流および剪断が生じる。ブレードまたはナイフは、流体の運動により、液体にキャビテーションを発生させる超音波振動をするようになる。
【００２８】
Ｓｏｎｏｌａｔｏｒ以外の別の高圧供給ホモジナイザには、ＡＰＶ  Ｍａｎｔｏｎ  Ｃｏｒｐｏｒａｔｉｏｎが市販するＭｏｎｔｏｎ  Ｇａｕｌｉｎ型ホモジナイザ、および、Ｍｉｃｒｏｆｌｕｉｄｉｃｓ  Ｃｏｒｐｏｒａｔｉｏｎが市販するＭｉｃｒｏｆｌｕｉｄｉｚｅｒがある。これらの型の高圧ホモジナイザは、固定弁座（ｖａｌｖｅ  ｓｅａｔ）に対して押し付けられる（液圧で、あるいはバネにより）バルブを備える。高圧の下では、流体は、弁座の開口部を通って、次に、バルブと弁座の間の間隙を通って流れる。様々な高圧ホモジナイザの形状寸法は、細かい点では異なり、鋭いエッジで粗くされていることさえあり得るが、それらは全て、大体は似ている。高圧ホモジナイザは、しばしば、２つ以上の弁座の組合せからなる。
【００２９】
第１水相（濃厚液）と第３（水）相の重量比は、パーソナルケア組成物のタイプと、特に配合成分により決まるであろう。この重量比は、約１：１から約１：４０、好ましくは、約１：１から約１：１０、最適には、約１：１から約１：６の範囲であり得る。
【００３０】
第１水相および第２相は、約５０：１から約１：５０、好ましくは、約１０：１から約１：１０の範囲の重量比で存在する。
【００３１】
通常、第３相は水だけからなるであろう。しかし、特定の事例では、この相は少量の添加剤を含み得る。通常、これらの添加剤の量は、第３相の１０重量％以下、好ましくは５重量％以下、最適には２重量％以下をなすであろう。対照的に、第１水相（濃厚液）は、通常、濃厚液の５重量％を超え、好ましくは１０重量％を超え、最も好ましくは１５重量％を超え、最適には４０重量％を超える、水以外の成分を含む。
【００３２】
図２は、図１に記載されたものから僅かに変更された方法を例示している。変更には、ポンプ３４を通して第４の相３２として増粘剤（水溶液）をブレンド管に添加することが含まれる。通常は、第１相を通じて増粘剤を配合することができる。しかし、いくつかのタイプの最終製品では、例外的に粘度が高いことが求められる。これらの場合には、独立した相が、比較的大量の増粘剤を組み入れるのにより有効であることが見出されている。
【００３３】
本発明によるパーソナルケア組成物には、シャンプー、シャワージェル、液体ハンドクレンザー、液体歯用組成物、スキンローションおよびクリーム、毛染め、フェイシャルクレンザー、ならびに、拭き取り物品に吸収させる含浸流体が含まれ得る。
【００３４】
通常、第１相および／または第２相は界面活性剤を含んでいるであろう。有用な界面活性剤には、非イオン性、陰イオン性、陽イオン性、両性、双性（ｚｗｉｔｔｅｒｉｏｎｉｃ）のもの、およびこれらの組合せが含まれる。界面活性剤の全体としての量は、パーソナルケア組成物全体の約０．１重量％から約５０重量％、好ましくは、約２重量％から約４０重量％、最適には、約１５重量％から約２５重量％の範囲であり得る。
【００３５】
適切な非イオン性界面活性剤の非限定的な例には、Ｃ１０〜Ｃ２０脂肪アルコール、または、１モルの疎水性物質あたり２から１００モルのエチレンオキシドもしくはプロピレンオキシドを縮合させた酸疎水性物質；２から２０モルのアルキレンオキシドを縮合させたＣ２〜Ｃ１０のアルキルフェノール；エチレングリコールの脂肪酸モノ−およびジエステル、例えばジステアリン酸エチレングリコール；脂肪酸モノグリセリド；モノ−およびジ−Ｃ８〜Ｃ２０脂肪酸ソルビタン；ならびに、Ｐｏｌｙｓｏｒｂａｔｅ  ８０およびＴｗｅｅｎ  ８０（登録商標）として市販されているポリオキシエチレンソルビタン、ならびに、前記の界面活性剤の任意の組合せが含まれる。
【００３６】
他の有用な非イオン性界面活性剤には、アルキルポリグリコシド（ＡＰＧ）、サッカリド脂肪アミド（例えば、メチルグルコンアミド）、ならびに長鎖第３級アミンオキシドが含まれる。後者に属するものの例は、ジメチルドデシルアミンオキシド、オレイルジ（２−ヒドロキシエチル）アミンオキシド、ジメチルオクチルアミンオキシド、ジメチルデシルアミンオキシド、ジメチルテトラデシルアミンオキシド、ジ（２−ヒドロキシエチル）テトラデシルアミンオキシド、３−ジドデシルオキシ−２−ヒドロキシプロピルジ（３−ヒドロキシプロピル）アミンオキシド、およびジメチルヘキサデシルアミンオキシドである。
【００３７】
例示的で非限定的な陰イオン界面活性剤の例には次のものが含まれる。
【００３８】
（１）アルキルベンゼンスルホン酸塩で、アルキル基が、直鎖または分岐鎖の形で、９から１５個の炭素原子、好ましくは、１１から１４個の炭素原子を含むもの。特に好ましいのは、アルキル鎖に約１２個の炭素原子を含む線状アルキルベンゼンスルホン酸である。
【００３９】
（２）８から２２個の炭素原子、好ましくは１２から１６個の炭素原子をもつアルコールを硫酸と化合させることにより得られるアルキル硫酸塩。アルキル硫酸塩は、ＲＯＳＯ３−Ｍ＋の式をもつ（ＲはＣ８〜２２のアルキル基であり、Ｍは１価および／または２価の陽イオンである）。
【００４０】
（３）パラフィンスルホン酸塩で、アルキル部分に、８から２２個の炭素原子、好ましくは１２から１６個の炭素原子をもつもの。
【００４１】
（４）オレフィンスルホン酸塩で、８から２２個の炭素原子、好ましくは１２から１６個の炭素原子をもつもの。最も好ましいのは、Ｂｉｏｔｅｒｇｅ  ＡＳ  ４０（登録商標）として市販されているＣ１４〜Ｃ１６オレフィンスルホン酸ナトリウムである。
【００４２】
（５）アルキルエーテル硫酸塩で、８から２２個の炭素原子、好ましくは１２から１６個の炭素原子をもつアルコールから誘導されるものであって、３０モル未満、好ましくは１２モル未満のエチレンオキシドでエトキシル化されたもの。最も好ましいのは、２モル平均のエトキシル化で生成するラウリルエーテル硫酸ナトリウムで、Ｓｔａｎｄｏｐｏｌ  ＥＳ−２（登録商標）として市販されている。
【００４３】
（６）アルキルグリセリルエーテルスルホン酸塩で、アルキル部分に、８から２２個の炭素原子、好ましくは、１２から１６個の炭素原子をもつもの。
【００４４】
（７）式、Ｒ１ＣＨ（ＳＯ３−Ｍ＋）ＣＯ２Ｒ２の脂肪酸エステルスルホン酸塩（Ｒ１は、約Ｃ８からＣ１８、好ましくは、Ｃ１２からＣ１６の直鎖状または分岐状アルキルであり、Ｒ２は、直鎖状または分岐状で、約Ｃ１からＣ６、好ましくは、主にＣ１のアルキルであり、Ｍ＋は１価または２価の陽イオンを表す）。
【００４５】
（８）第２アルコールの硫酸塩で、６から１８個、好ましくは８から１６個の炭素原子をもつもの。
【００４６】
（９）脂肪アシルイセチオン酸塩で、１０から２２個の炭素原子を含むもの。ココイルイセチオン酸ナトリウムが好ましい。
【００４７】
（１０）モノ−およびジアルキルスルホコハク酸塩であって、アルキル基がそれぞれ３から２０個の範囲の炭素原子を含むもの。
【００４８】
（１１）式、ＲＣＯＮ（ＣＨ３）ＣＨ２ＣＨ２ＣＯ２Ｍに相当するアルカノイルサルコシン酸塩（Ｒは、約１０から約２０個の炭素原子のアルキルまたはアルケニルであり、Ｍは、水溶性陽イオン、例えば、アンモニウム、ナトリウム、カリウムおよびトリアルカノールアンモニウムである）。最も好ましいのは、ラウロイルサルコシン酸ナトリウムである。
【００４９】
陽イオン性界面活性剤の例は、Ｃ８〜Ｃ２２アルキルＣ１〜Ｃ４ジアルキルアンモニウム塩、例えば、塩化セチルジメチルアンモニウム、ステアリルジメチルアンモニウムメトサルフェート、オレイルジエチルアンモニウムホスフェート、およびラウリルジメチルアンモニウムボラートである。特に好ましいのはセトリモニウムクロリドであり、これは塩化セチルジメチルアンモニウムの通称である。
【００５０】
本発明で有用な両性界面活性剤には、一般式、ＲＮ＋（Ｒ１）２Ｒ２−ＣＯＯ−で表すことができるベタインが含まれる（Ｒは、１０から２２個の炭素原子、好ましくは１２から１８個の炭素原子を含むアルキル基；１０から２２個の炭素原子（ベンゼン環は約２個の炭素原子に等しいと見なされる）を含むアルキルアリールおよびアリールアルキル基と、アミドまたはエーテル結合が介在する類似の構造からなる群から選択される疎水性部分であり、各Ｒ１は１から３個の炭素原子を含むアルキル基であり、Ｒ２は１から約６個の炭素原子を含むアルキレン基である）。ココアミドプロピルヒドロキシスルタイン（ｓｕｌｔａｉｎｅ）のようなスルホベタインもまた適切である。
【００５１】
好ましいベタインの例は、ドデシルジメチルベタイン、セチルジメチルベタイン、ドデシルアミドプロピルジメチルベタイン、テトラデシルジメチルベタイン、テトラデシルアミドプロピルジメチルベタイン、およびドデシルジメチルアンモニウムヘキサノアートである。最も好ましいのは、ドイツのＴｈ．Ｇｏｌｄｓｃｈｍｉｄｔ  ＡＧによりＴｅｇｏｂｅｔａｉｎｅ  Ｆ（登録商標）として市販されているココアミドプロピルベタインである。
【００５２】
ポリオールは本発明の水相に存在することが多い。典型的な多価アルコールには、グリセロール（グリセリンとしても知られている）、ポリアルキレングリコール、より好ましくは、アルキレンポリオールとそれらの誘導体が含まれ、これらには、プロピレングリコール、ジプロピレングリコール、ポリプロピレングリコール、ポリエチレングリコールおよびこれらの誘導体、ソルビトール、ヒドロキシプロピルソルビトール、ヘキシレングリコール、ブチレングリコール、１，２，５−ヘキサントリオール、エトキシル化グリセロール、プロポキシル化グリセロール、ならびにこれらの混合物が含まれる。最も好ましいのはグリセリンである。ポリオールの量は、パーソナルケア組成物全体の約０．５重量％から約５０重量％、好ましくは、約１重量％と約１５重量％の間の範囲であり得る。
【００５３】
パーソナルケア組成物全体の約０．０１重量％から約１０重量％の量のシックナー／増粘剤（ｖｉｓｃｏｓｉｆｉｅｒ）もまた、第１水相および／または独立した第４相に含まれていてもよい。当業者によく知られているように、シックナーの適正な量は、望まれている組成物のコンシステンシと粘性（ｔｈｉｃｋｎｅｓｓ）に応じて変わり得る。例示的なシックナーは、キサンタンガム、カルボキシメチルセルロースナトリウム、ヒドロキシアルキルおよびアルキルセルロース（特に、ヒドロキシプロピルセルロース）、ならびに架橋アクリル酸ポリマー、例えば、Ｂ．Ｆ．ＧｏｏｄｒｉｃｈによりＣａｒｂｏｐｏｌの商標で販売されているものである。
【００５４】
変性されたデンプンおよびクレーなどのシックナーも、水相を増粘させるために使用され得る。例えば、オクテニルコハク酸デンプンアルミニウム（Ｎａｔｉｏｎａｌ  Ｓｔａｒｃｈ  ａｎｄ  Ｃｈｅｍｉｃａｌ  ＣｏｍｐａｎｙからＤｒｙＦｌｏ（登録商標）として市販されている）が特に有用である。クレーには、マグネシウムアルミニウムケイ酸塩（Ｖｅｅｇｕｍ（登録商標）として市販されている）、ヘクトライトクレー、モンモリロナイトクレー、ベントナイト（例えば、Ｂｅｎｔｏｎｅ（登録商標）３８）、ならびにこれらの組合せが含まれる。
【００５５】
水溶性コンディショニング剤もまた水相に組み入れられ得る。モノマーおよびポリマーの形の陽イオン性作用剤がこの目的には特に有用である。陽イオン性セルロール誘導体、陽イオン性デンプン、第４級ジアリルアンモニウム塩とアクリルアミドのコポリマー、４級化ビニルピロリドンビニルイミダゾールポリマー、ポリグリコールアミン縮合物、４級化コラーゲンポリペプチド、ポリエチレンイミン、陽イオン化シリコーンポリマー（例えばアモジメチコン）、他の成分との混合物としてＤｏｗ  Ｃｏｒｎｉｎｇ  ９２９の商品名で提供されている陽イオン性シリコーンポリマー（陽イオン化エマルジョン）、アジピン酸とジメチルアミノヒドロキシプロピルジエチレントリアミンとのコポリマー、陽イオン性キチン誘導体、陽イオン化グアーガム（例えば、Ｊａｇｕａｒ（登録商標）Ｃ−Ｂ−Ｓ、Ｊａｇｕａｒ（登録商標）Ｃ−１７、および、Ｊａｇｕａｒ（登録商標）Ｃ−１６）、ならびに、第４級アンモニウム塩ポリマー（例えば、Ｍｉｒａｐｏｌ（登録商標）Ａ−１５、Ｍｉｒａｐｏｌ（登録商標）ＡＤ−１、Ｍｉｒａｐｏｌ（登録商標）ＺＡ−１など、製造はＲｈｏｎｅ  Ｐｏｕｌｅｎｃ  ＣｏｍｐａｎｙのＭｉｒａｎｏｌ  Ｄｉｖｉｓｉｏｎ）。
【００５６】
陽イオン性モノマー形コンディショニング剤の例は、次の一般構造の塩である：
【００５７】
【化１】
2006509623.tif 000003
Ｒ１は、１２から２２個の炭素原子をもつアルキル基、あるいは、１２から２２個の炭素原子をもつ芳香族、アリールもしくはアルカリール基から選択され；Ｒ２、Ｒ３、およびＲ４は、独立に、水素、１から２２個の炭素原子をもつアルキル基、あるいは、１２から２２個の炭素原子をもつ芳香族、アリールもしくはアルカリール基から選択され；Ｘ−は、塩素、臭素、ヨウ素、酢酸、硝酸、硫酸、メチル硫酸、エチル硫酸、ｐ−トルエンスルホン酸、乳酸、クエン酸、グリコール酸の陰イオン、ならびにこれらの混合物から選択される陰イオンである。さらに、アルキル基はまた、結合基またはアミノ基からなる置換基を含んでいてもよい（例えば、アルキル基はポリエチレングリコールやポリプロピレングリコール部分を含んでいてもよい）。
【００５８】
エマルジョンである本発明の組成物は、水中油または油中水であり得るが、前者が好ましい。エマルジョンの水と油相の相対重量比は、全パーソナルケア組成物の重量で、約１，０００：１から約１：１０、好ましくは、約１００：１から約１：５、最適には、約１０：１から約１：２の範囲であり得る。
【００５９】
第１水相に存在することが多く、時には他の（複数の）水相にも存在する別の成分は、防腐剤である。これらは、有害な可能性のある微生物の成長を阻止するために組み入れられる。適切な慣用的防腐剤は、ＥＤＴＡ塩およびパラヒドロキシ安息香酸のアルキルエステルである。最近使用されるようになった別の防腐剤には、ヒダントイン誘導体、プロピオン酸塩、および様々な第４級アンモニウム化合物が含まれる。化粧品化学者は適切な防腐剤に通じており、防腐剤攻撃試験に合格し製品に安定性を付与するように、慣例となった手順でそれらを選んでいる。
【００６０】
特に好ましい防腐剤は、ブチルカルバミン酸ヨードプロピニル、フェノキシエタノール、メチルパラベン、プロピルパラベン、イミダゾリジニル尿素、デヒドロ酢酸ナトリウムおよびベンジルアルコールである。防腐剤は、組成物の使われ方、ならびに、防腐剤と組成物中の他の成分との間にあり得る不適合性を考えて選択されるべきである。防腐剤は、通常、パーソナルケア組成物全体の０．０１重量％から２重量％の範囲の量で用いられる。
【００６１】
油相である場合、第２相は、疎水性成分を含むであろう。最も頻繁に、油相は、炭化水素、シリコーンおよび合成または植物エステルから選択され得るエモリエントを含むであろう。エモリエントの量は、パーソナルケア組成物全体の約０．１重量％から約３０重量％、好ましくは、約０．５重量％から約１０重量％の間の範囲であり得る。
【００６２】
本発明に適する炭化水素には、イソパラフィン、ミネラルオイル、ペトロラタムおよび、ポリエチレンなどの炭化水素ワックスが含まれる。
【００６３】
シリコーンは、揮発性と非揮発性の種類に分けられる。本明細書では、「揮発性」という用語は、雰囲気温度で、測定可能な蒸気圧をもつ材料を表す。揮発性シリコーンオイルは、好ましくは、約３から約９個、好ましくは、約４から約５個のケイ素原子を含む、環状もしくは線状のポリジメチルシロキサンから選択される。
【００６４】
エモリエント材料として有用な非揮発性シリコーンには、ポリアルキルシロキサン、ポリアルキルアリールシロキサンおよびポリエーテルシロキサンコポリマーが含まれる。本発明において有用な本質的には非揮発性であるポリアルキルシロキサンには、例えば、２５℃で約５から約１００，０００センチストークスの粘度をもつポリジメチルシロキサンが含まれる。
【００６５】
適切なエステルのエモリエントには以下のものがある。
【００６６】
（１）１０から２０個の炭素原子をもつ脂肪酸のアルケニルまたはアルキルエステル。これらの例には、パルミチン酸イソプロピル、イソノナン酸イソノニル、ミリスチン酸オレイル、ステアリン酸オレイル、ステアリン酸セテアリールおよびオレイン酸オレイルが含まれる。
【００６７】
（２）エーテル−エステル、例えば、エトキシル化脂肪アルコールの脂肪酸エステル。
【００６８】
（３）多価アルコールのエステル。エチレングリコールのモノ−およびジ−脂肪酸エステル、ジエチレングリコールのモノ−およびジ−脂肪酸エステル、ポリエチレングリコール（２００〜６０００）のモノ−およびジ−脂肪酸エステル、プロピレングリコールのモノ−およびジ−脂肪酸エステル、モノオレイン酸ポリプロピレングリコール２０００、モノステアリン酸ポリプロピレングリコール２０００、エトキシル化されたモノステアリン酸プロピレングリコール、グリセリルモノ−およびジ−脂肪酸エステル、ポリグリセロール脂肪エステル、エトキシル化されたモノステアリン酸グリセリル、モノステアリン酸１，３−ブチレングリコール、ジステアリン酸１，３−ブチレングリコール、ポリオキシエチレンポリオール脂肪酸エステル、ソルビタン脂肪酸エステル、ポリオキシエチレンソルビタン脂肪酸エステルが、満足な結果を与える多価アルコールエステルである。
【００６９】
（４）ワックスエステル、例えば、蜜蝋、鯨蝋、ミリスチン酸ミリスチル、ステアリン酸ステアリル。
【００７０】
（５）ステロイドエステル、これらの例は、大豆ステロールおよびコレステロール脂肪酸エステルである。
【００７１】
最も好ましい植物エステルのエモリエントは、ヒマワリ油、大豆ステロールエステル、ボリジ油、マレイン酸大豆油、ポリ綿実脂肪酸（ｐｏｌｙｃｏｔｔｅｏｎｓｅｅｄａｔｅ）スクロース、トリベヘニン、ポリベヘン酸スクロース、およびこれらの混合物である。
【００７２】
脂肪酸もまた、油相に含まれ得る。これらの脂肪酸は、１０から３０個の炭素原子をもち得る。これに属するものの例は、ペラルゴン酸、ラウリン酸、ミリスチン酸、パルミチン酸、ステアリン酸、イソステアリン酸、ヒドロキシステアリン酸、オレイン酸、リノール酸、リシノール酸、アラキン酸、ベヘン酸およびエルカ酸である。量は、パーソナルケア組成物全体の０．１重量％から２５重量％の範囲であり得る。
【００７３】
香料、着色剤および促進成分もまた、油と、複数の水相の何れかに含まれ得る。本発明での例示的な着色剤には、Ｒｅｄ  Ｎｏ．４、Ｒｅｄ  Ｎｏ．４０、ならびにＦＤ＆Ｃ着色剤の、Ｒｅｄ  Ｎｏ．３、Ｒｅｄ  Ｎｏ．６、Ｒｅｄ  Ｎｏ．２８、Ｒｅｄ  Ｎｏ．３３、Ｂｌｕｅ  Ｎｏ．１、Ｇｒｅｅｎ  Ｎｏ．５、Ｙｅｌｌｏｗ  Ｎｏ．５（これらは全て水溶性である）が含まれる。Ｇｒｅｅｎ  Ｎｏ．６およびＤ＆Ｃ  Ｖｉｏｌｅｔ  Ｎｏ．２のような脂溶性染料もまた利用され得る。これらの着色剤の活性成分濃度は、パーソナルケア組成物全体の約０．０００１重量％から約１重量％、好ましくは、約０．００１重量％から約０．１重量％の範囲であり得る。
【００７４】
「香料」という用語は、場合によっては適切な溶剤希釈剤またはキャリアと混合された、芳香を放つ成分の混合物として定義され、それは所望の香りを付与するために用いられる。
【００７５】
エッセンシャルオイル、アブソリュート、レジノイド、レジンおよび花香油などの天然物、ならびに炭化水素、アルコール、アルデヒド、ケトン、エーテル、カルボン酸、エステル、アセタール、ケタール、ニトリルなどのような合成製品（飽和および不飽和化合物、脂肪族、炭素環式および複素環式の化合物が含まれる）から、香料成分とそれらの混合物を得ることができる。
【００７６】
前記香料成分の適切な溶剤、希釈剤またはキャリアは、例えば、エタノール、イソプロパノール、ジエチレングリコールモノエチルエーテル、ジプロピルグリコールおよびクエン酸トリエチルである。
【００７７】
特に好ましい香料成分は、環状または非環状テルペンおよびテルペノイドである。これらの物質はイソプレン繰返し単位に基づいている。例には、アルファおよびベータピネン、ミルセン、ゲラニルアルコールおよびアセテート、カンフェン、ｄｌ−リモネン、アルファおよびベータフェランドレン、トリシクレン、テルピノレン、アロシマン（ａｌｌｏｃｉｍｍａｎｅ）、ゲラニオール、ネロール、リナノール、ジヒドロリナノール、シトラール、イオノン、メチルイオノン、シトロネロール、シトロネラール、アルファテルピネオール、ベータテルピネオール、アルファフェンコール、ボルネオール、イソボルネオール、カンファ、テルピネン−１−オール、テルピン−４−オール、ジヒドロテルピネオール、メチルカビコール、アネトール、１，４−および１，８−シネオール、ゲラニルニトリル、イソボルニルアセテート、リナリルアセテート、カリオフィレン、アルファセドレン、グアイオール、パチュリアルコール、アルファおよびベータサンタロール、ならびにこれらの混合物が含まれる。
【００７８】
香料の量は、パーソナルケア組成物の約０．００００１重量％から約２重量％、好ましくは、約０．０００１重量％から約１重量％、最適には、約０．０１重量％から約０．５重量％、最も好ましくは、約０．０５重量％から約０．２５重量％の範囲であり得る。
【００７９】
ビタミンは、促進成分の例である。これらには、ビタミンＡ（レチノール）、ビタミンＡ誘導体（パルミチン酸レチニル、リノール酸レチニル、酢酸レチニルおよびレチノイン酸）、ビタミンＣ、ビタミンＣ誘導体（テトライソパルミチン酸アスコルビルおよびリン酸アスコルビルマグネシウム）、ビタミンＥ、ビタミンＥ誘導体（例えば、酢酸トコフェロール）、ビオチン、ナイアシン、およびＤＬ−パンテノール、ならびにこれらの組合せが含まれる。
【００８０】
促進成分の量は、パーソナルケア組成物全体の約０．００００１重量％から約２重量％、好ましくは、約０．０００１重量％から約１重量％、最適には、約０．００１重量％から約０．５重量％の範囲であり得る。
【００８１】
合わせた第１および第３の水相は、最終のパーソナルケア組成物の約５重量％から約９９．５重量％、好ましくは、約２０重量％から約９０重量％、より好ましくは、約３５重量％から約８０重量％、最適には、約４５重量％から約７０重量％をなし得る。
【００８２】
合わせた第１および第３の水相は、主な成分として水を含んでいるであろう。通常、水の量は、合わせた第１および第３の水相の約３０重量％から約９９．９重量％、好ましくは約５０重量％から約９５重量％、より好ましくは、約６５重量％から約８０重量％、最適には、約５５重量％から約７０重量％の範囲であり得る。
【００８３】
「含む」という用語は、後に挙げられた要素に限定するのではなく、機能的に重要性が大きい、あるいは小さいが、具体的に記載されていない要素も包含することを意図するものである。別の言い方をすると、列挙されたステップ、要素または選択枝が全てを網羅している必要はない。「含まれる」または「もつ」という用語が使用されている場合、この用語は前記の「含む」と同じことを意味する。
【００８４】
（実施例）
実施例および比較例を除いて、あるいは、そうではないと明確に示されていなければ、本明細書において材料の量を指定する全ての数字は、「約」という語により修飾されているものとして理解されるべきである。
【００８５】
以下の実施例は、本発明の実施形態をより詳細に例示するであろう。本明細書および添付の特許請求の範囲で参照される全ての部、パーセンテージおよび比率は、そうではないと示されなければ、重量に基づくものである。
【実施例１】
【００８６】
１組のスキンローションを、２倍および１０倍レベルの濃厚液を示すために調製する。何れの濃厚液も、適切な量の水を追加すると、表Ｉに示される、結果として得られる組成物となるであろう。
【００８７】
【表１】
2006509623.tif 000004
【００８８】
油および水の相を、それぞれ別々に、それぞれの第１および第２タンクに入れる。プログレッシブキャビティポンプ（例えば、Ｍｏｙｎｏ／Ｓｅｅｐｅｘ）により、これらの相を、別々に、パイプを通して、Ｓｏｎｏｌａｔｏｒ（登録商標）の前室部分であるブレンド管に供給する。合わせた流量を、２００ｐｓｉで、正確に９．０８ｋｇ（２０ポンド）／分に維持する。濃厚水相を、２４と５２℃の間の温度に保ち、タンク容量は３，０００ガロンである。油相を、２５０ガロンのタンクにおいて６５から９３℃の温度に保つ。
【００８９】
２倍濃厚液の実験では、第３のタンクから、第１水相および油相の圧力と同じ圧力に調節した純粋な水である第３の流れを送る。純粋な水の相を１５から３８℃に保ち、Ｓｏｎｏｌａｔｏｒ（登録商標）の前室部分であるブレンド管にポンプで送る。次に、全ての相を、Ｓｏｎｏｌａｔｏｒ（登録商標）において５００ｐｓｉで、合わせて均質化する（ｈｏｍｏｇｅｎｉｚｅ）。その後、合わせた流れを貯蔵容器に送り、得られた生成物をそこで２４から４４℃に保つ。得られたスキンローション組成物のいくらかを、戻りの流れとして、Ｓｏｎｏｌａｔｏｒ（登録商標）のブレンド管に、容積式供給ポンプにより輸送する。この戻りの流れの量は、新たな運転開始のために、あるいは再処理物として、ほぼ５％である。貯蔵容器内に保たれる組成物の残りを、パッケージングラインに送り、空のボトルに充填する。
【００９０】
１０倍濃厚液では、水／シックナー（Ｃａｒｂｏｐｏｌ  ９３４（登録商標））の第４の流れを用いる。この第４の流れを、同様の圧力と流量（最終組成物におけるその比率に比例する）で、Ｓｏｎｏｌａｔｏｒ（登録商標）の前室部分であるブレンド管にポンプで送る。他の全ての工程は、２倍濃厚液について上に記載したものと同じである。
【実施例２】
【００９１】
１組の乾燥肌改善用ローションを、２倍、４倍、６倍レベルの濃厚液を示すために調製する。何れの濃厚液も、適切な量の水を追加すると、表ＩＩに示される、結果として得られる組成物となるであろう。
【００９２】
【表２】
2006509623.tif 000005
【００９３】
油および水の相を、それぞれ別々に、それぞれの第１および第２タンクに入れる。プログレッシブキャビティポンプ（例えば、Ｍｏｙｎｏ／Ｓｅｅｐｅｘ）により、これらの相を、別々に、パイプを通して、Ｓｏｎｏｌａｔｏｒ（登録商標）の前室部分であるブレンド管に供給する。合わせた流量を、８００ｐｓｉで、正確に２２．７ｋｇ（５０ポンド）／分に維持する。濃厚水相を、２４と５２℃の間の温度に保ち、タンク容量は５，０００ガロンである。油相を、２５０ガロンのタンクにおいて６５から９３℃の温度に保つ。
【００９４】
２倍濃厚液の実験では、第３のタンクから、第１水相および油相の圧力と同じ圧力に調節した純粋な水である第３の流れを送る。純粋な水の相を１５から３８℃に保ち、Ｓｏｎｏｌａｔｏｒ（登録商標）の前室部分であるブレンド管にポンプで送る。次に、全ての相を、Ｓｏｎｏｌａｔｏｒ（登録商標）において１０００ｐｓｉで、合わせて均質化する。その後、合わせた流れを貯蔵容器に送り、得られた生成物はそこで２４から４４℃に保たれる。得られた乾燥肌ローション組成物のいくらかを、戻りの流れとして、Ｓｏｎｏｌａｔｏｒ（登録商標）のブレンド管に、容積式供給ポンプにより輸送する。この戻りの流れの量は、新たな運転開始のために、あるいは再処理物として、ほぼ５％である。貯蔵容器内に保たれる組成物の残りを、パッケージングラインに送り、空のボトルに充填する。
【００９５】
４倍および６倍濃厚液についての工程は、２倍濃厚液について上に記載したものと同じである。
【実施例３】
【００９６】
１組のシャンプー配合を、２倍、４倍、８倍レベルの濃厚液を示すために調製する。何れの濃厚液も、適切な量の水を追加すると、表ＩＩＩに示される、結果として得られる組成物となるであろう。
【００９７】
【表３】
2006509623.tif 000006
【００９８】
シャンプーの製造を、実施例２で記載されたものに類似の方法で実施する。
【実施例４】
【００９９】
１組のヘアコンディショナーを、２倍、４倍、８倍レベルの濃厚液を示すために調製する。何れの濃厚液も、適切な量の水を追加すると、表ＩＶに示される、結果として得られる組成物となるであろう。
【０１００】
【表４】
2006509623.tif 000007
【０１０１】
全ての工程は、それぞれの濃厚液について実施例２で記載されたものと同じである。
【図面の簡単な説明】
【０１０２】
【図１】本発明の方法による第１の実施形態の概略を示す図である。
【図２】本発明の方法による第２の実施形態の概略を示す図である。
【図１】
2006509623.tif 000008
【図２】
2006509623.tif 000009
【国際調査報告】
2006509623.tif 000010
2006509623.tif 000011